(57)【要約】【課題】災害によって電子情報が破損をする直前に自動的にバックアップを行うことにより、災害が発生する直前までに作成された電子情報を保存することが可能なコンピュータバックアップシステムを提供する。【解決手段】コンピュータが破壊される予兆となりうるパラメータを検出する異常検知センサ５，６を業務用コンピュータ１に設け、異常検知センサ５，６が業務用コンピュータ１が破壊される予兆を示すと、業務用コンピュータ１が所定の電子情報をコンピュータネットワーク３を通じて、バックアップ用コンピュータ２に送信し、バックアップコンピュータ２が所定の電子情報をバックアップ用記録媒体７に保存する。【選択図】        図１
2004326365.tif 000002
【特許請求の範囲】
【請求項１】
電子情報記録媒体と、コンピュータが破壊される予兆となりうるパラメータを検出する異常検知センサとを有する業務用コンピュータと、
前記電子情報記録媒体中の所定の電子情報の複製を保存するバックアップ用記録媒体を有するバックアップコンピュータと、
前記業務用コンピュータと前記バックアップコンピュータとを接続するコンピュータネットワークとを備え、
前記異常検知センサの検出したパラメータが前記業務用コンピュータが破壊される予兆を示すと、前記業務用コンピュータが前記所定の電子情報を前記コンピュータネットワークを通じて、前記バックアップ用コンピュータに送信し、前記バックアップコンピュータが前記所定の電子情報を前記バックアップ用記録媒体に保存することを特徴とするコンピュータバックアップシステム。
【請求項２】
電子情報記録媒体を有する業務用コンピュータと、
前記電子情報記録媒体中の所定の電子情報の複製を保存するバックアップ用記録媒体とコンピュータが破壊される予兆となりうるパラメータを検出する異常検知センサとを有するバックアップコンピュータと、
前記業務用コンピュータと前記バックアップコンピュータとを接続するコンピュータネットワークとを備え、
前記異常検知センサの検出したパラメータが前記業務用コンピュータが破壊される予兆を示すと、前記バックアップコンピュータが前記コンピュータネットワークを介して前記業務用コンピュータを起動し、前記所定の電子情報を前記コンピュータネットワークを通じて読み取り、前記バックアップ用記録媒体に保存することを特徴とするコンピュータシステム。
【請求項３】
前記バックアップコンピュータが外部の熱を内部に伝えにくい筐体内に納められていることを特徴とする請求項１又は２に記載のコンピュータバックアップシステム。
【請求項４】
前記異常検知センサが気温を測定する温度センサであることを特徴とする請求項１又は２又は３に記載のコンピュータバックアップシステム。
【請求項５】
前記異常検知センサが水の有無を検知する水センサであることを特徴とする請求項１又は２又は３に記載のコンピュータバックアップシステム。
【請求項６】
前記異常検知センサが複数設けられ、第一の異常検知センサが気温を測定する温度センサであり、第二の異常検知センサが水の有無を検知する水センサであることを特徴とする請求項１又は２又は３に記載のコンピュータバックアップシステム。
【発明の詳細な説明】
【０００１】
【発明の属する技術分野】
本発明は、コンピュータシステムにおける電子情報のバックアップに関する。特に、電子情報を記録しているコンピュータが起動されていないときに災害によりコンピュータが破壊される予兆を検出し、自動的にバックアップを実行しうるコンピュータシステムに関する。
【０００２】
【従来の技術】
コンピュータ内に設けられ磁気ディスクからなる電子情報記録媒体に保存された電子情報を、破損に備えて別の記録媒体に複製を取ることがある。
【０００３】
特に、火災、水害等の有事によって電子情報が破損されることに備えて、当該コンピュータから空間的に離れた場所にある記録媒体に複製を取ることが望ましい。
【０００４】
この為、インターネットやＷＡＮ等のコンピュータネットワークを通じて、遠隔地のバックアップコンピュータ内のバックアップ用記録媒体に電子情報を保存する電子情報バックアップシステムがある。
【０００５】
【発明が解決しようとする課題】
しかし、バックアップは、１日１回といった定期的に行われるため、バックアップを取ってから、電子情報が破損される迄の間に更新された電子情報は失われることになる。
【０００６】
また、個人で使用しているコンピュータのバックアップを常時行うことは、費用上の理由等から困難である。
【０００７】
本願発明は上記背景に鑑み、災害によって電子情報が破損をする直前に自動的にバックアップを行うことにより、災害が発生する直前までに作成された電子情報を保存することを目的とする。
【０００８】
【課題を解決するための手段】
上記課題を解決するため、電子情報記録媒体と、コンピュータが破壊される予兆となりうるパラメータを検出する異常検知センサとを有する業務用コンピュータと、前記電子情報記録媒体中の所定の電子情報の複製を保存するバックアップ用記録媒体を有するバックアップコンピュータと、前記業務用コンピュータと前記バックアップコンピュータとを接続するコンピュータネットワークとを備え、前記異常検知センサの検出したパラメータが前記業務用コンピュータが破壊される予兆を示すと、前記業務用コンピュータが前記所定の電子情報を前記コンピュータネットワークを通じて、前記バックアップ用コンピュータに送信し、前記バックアップコンピュータが前記所定の電子情報を前記バックアップ用記録媒体に保存する。
【０００９】
また、本発明のコンピュータバックアップシステムでは、電子情報記録媒体を有する業務用コンピュータと、前記電子情報記録媒体中の所定の電子情報の複製を保存するバックアップ用記録媒体とコンピュータが破壊される予兆となりうるパラメータを検出する異常検知センサとを有するバックアップコンピュータと、前記業務用コンピュータと前記バックアップコンピュータとを接続するコンピュータネットワークとを備え、前記異常検知センサの検出したパラメータが前記業務用コンピュータが破壊される予兆を示すと、前記バックアップコンピュータが前記コンピュータネットワークを介して前記業務用コンピュータを起動し、前記所定の電子情報を前記コンピュータネットワークを通じて読み取り、前記バックアップ用記録媒体に保存する。
【００１０】
また、本発明のコンピュータバックアップシステムでは、前記バックアップコンピュータが熱を伝えにくい筐体内に納められている。
【００１１】
また、本発明のコンピュータバックアップシステムでは、異常検知センサが気温を測定する温度センサである。
【００１２】
また、本発明のコンピュータバックアップシステムでは、異常検知センサが水の有無を検知する水センサである。
【００１３】
また、本発明のコンピュータバックアップシステムでは、前記異常検知センサが複数設けられ、第一の異常検知センサが気温を測定する温度センサであり、第二の異常検知センサが水の有無を検知する水センサである。
【００１４】
【発明の実施の形態】
以下、本発明のコンピュータバックアップシステムの一実施形態を図１に基づいて説明する。図１に示すようにバックアップコンピュータシステムは、業務用コンピュータ１と、バックアップコンピュータ２と、業務用コンピュータ１とバックアップコンピュータ２とを接続するコンピュータネットワーク３とを備えている。業務用コンピュータ１は、電子情報を記録する電子情報記録媒体４と、気温を測定する第一の異常検知センサ５と、水の有無を検知する第二の異常検知センサ６とを有している。一方、バックアップコンピュータ２は、バックアップ用記録媒体７を有している。
【００１５】
電子情報記録媒体４は、磁気ディスクからなり電子情報を保存でき、保存した電子情報は書き換え可能であり、業務用コンピュータ１の電源を切っても電子情報が失われない。しかしながら、磁気ディスクは熱に弱く、高温となると保存した電子情報が失われる。また、水に浸かると電気配線がショートし磁気ディスクを駆動する電気回路が破壊される。
【００１６】
コンピュータネットワーク３は、ＬＡＮ、又は、ＷＡＮ、又は、インターネットであり、離れた場所にある業務用コンピュータ１とバックアップコンピュータ２とを接続する。
【００１７】
バックアップ用記録媒体７は、磁気ディスクからなり電子情報を保存でき、保存した電子情報は書き換え可能であり、業務用コンピュータ１の電源を切っても電子情報が失われない。
【００１８】
次に図２のフローチャートを参照して本実施例の動作について説明する。
【００１９】
まず、ステップＡ１において、第１の異常センサ５からパラメータとして気温の値を取得する。次にステップＡ２において、前記パラメータが業務用コンピュータ１が破壊される予兆となりうるパラメータ（例えば、１００℃以上）であるか判断する。もし、前記パラメータが、業務用コンピュータが破壊される予兆を示していなければ、ステップＡ３に進む。もし、前記パラメータが、業務用コンピュータが破壊される予兆を示していれば、ステップＡ５に進む。ステップＡ３では、第２の以上センサからパラメータとして水の有無を検知する。次にステップＡ４において、前記パラメータが業務用コンピュータ１が破壊される予兆となりうるパラメータ（水を検出）であるか判断する。もし、前記パラメータが、業務用コンピュータが破壊される予兆を示していなければ、ステップＡ１に戻る。もし、前記パラメータが、業務用コンピュータが破壊される予兆を示していれば、ステップＡ５に進む。ステップＡ５では、予め定められた電子情報を業務用コンピュータ１からバックアップコンピュータ２にコンピュータネットワーク３を介して送信する。バックアップコンピュータでは、業務用コンピュータ１からバックアップする電子情報を受け取るとバックアップ用記録媒体７に保存する。
【００２０】
次に第２の実施形態を図３に基づいて説明する。図３に示すようにバックアップコンピュータシステムは、業務用コンピュータ１と、バックアップコンピュータ２と、業務用コンピュータ１とバックアップコンピュータ２とを接続するコンピュータネットワーク３とを備えている。業務用コンピュータ１は、電子情報を記録する電子情報記録媒体４を有している。一方、バックアップコンピュータ２は、バックアップ用記録媒体７を有すると共に、気温を測定する第一の異常検知センサ５と、水の有無を検知する第二の異常検知センサ６とに接続されている。
【００２１】
第一の異常検知センサ５と、第二の異常検知センサとは、業務用コンピュータ１が破壊される予兆を検出するためのセンサであり、業務用コンピュータの近くに設置される。尚、図示しないが、第一の異常検知センサ５及び第二の異常検知センサ６は、それぞれ複数設置されていても良い。例えば、建物の複数のフロアに業務用のコンピュータがそれぞれ複数設置されている場合には、各フロアごとに第一の異常検知センサ５と、第二の異常検知センサを設置しても良い。
【００２２】
電子情報記録媒体４は、磁気ディスクからなり電子情報を保存でき、保存した電子情報は書き換え可能であり、業務用コンピュータ１の電源を切っても電子情報が失われない。しかしながら、磁気ディスクは熱に弱く、高温となると保存した電子情報が失われる。また、水に浸かると電気配線がショートし磁気ディスクを駆動する電気回路が破壊される。
【００２３】
コンピュータネットワーク３は、ＬＡＮ、又は、ＷＡＮ、又は、インターネットであり、離れた場所にある業務用コンピュータ１とバックアップコンピュータ２とを接続する。
【００２４】
バックアップ用記録媒体７は、磁気ディスクからなり電子情報を保存でき、保存した電子情報は書き換え可能であり、業務用コンピュータ１の電源を切っても電子情報が失われない。また、バックアップコンピュータ２は、外部の熱を内部に伝えにくい筐体８内に納められているため、筐体８の外側が高温になっても、バックアップ用記録媒体７の温度がほとんど上昇せず、バックアップ用記録媒体７に格納された電子情報は破壊されない。
【００２５】
次に図４のフローチャートを参照して本実施例の動作について説明する。
【００２６】
まず、ステップＢ１において、第１の異常センサ５からパラメータとして気温の値を取得する。次にステップＢ２において、前記パラメータが業務用コンピュータ１が破壊される予兆となりうるパラメータ（例えば、１００℃以上）であるか判断する。もし、前記パラメータが、業務用コンピュータが破壊される予兆を示していなければ、ステップＢ３に進む。もし、前記パラメータが、業務用コンピュータが破壊される予兆を示していれば、ステップＢ５に進む。ステップＢ３では、第２の異常センサからパラメータとして水の有無を検知する。次にステップＢ４において、前記パラメータが業務用コンピュータ１が破壊される予兆となりうるパラメータ（水を検出）であるか判断する。もし、前記パラメータが、業務用コンピュータが破壊される予兆を示していなければ、ステップＢ１に戻る。もし、前記パラメータが、業務用コンピュータが破壊される予兆を示していれば、ステップＢ５に進む。ステップＢ５では、バックアップコンピュータ２から業務用コンピュータ１を起動する命令をコンピュータネットワーク３を介して行う。この処理により、業務用コンピュータ１の電源が入っていない時でも、異常時には業務用コンピュータ１の電源を自動的に入れて、業務用コンピュータ１の電子情報のバックアップを行うことができる。ステップＢ６において、業務用コンピュータは、バックアップ用コンピュータ２からの起動命令を受けて、起動する。ステップＢ７では、バックアップコンピュータは、所定時間後に、業務用コンピュータ１からバックアップする所定の電子情報の送信を要求する。ステップＢ８において、予め定められた電子情報を業務用コンピュータ１からバックアップコンピュータ２にコンピュータネットワーク３を介して送信する。バックアップコンピュータでは、業務用コンピュータ１からバックアップする電子情報を受け取るとバックアップ用記録媒体７に保存する。
【００２７】
【発明の効果】
以上のように本発明のコンピュータバックアップシステムにおいては、異常検知センサの検出したパラメータが業務用コンピュータが破壊される予兆を示すと、業務用コンピュータが所定の電子情報をコンピュータネットワークを通じて、バックアップ用コンピュータに送信し、バックアップコンピュータが所定の電子情報をバックアップ用記録媒体に保存するので、業務用コンピュータが破壊される予兆を検出し、自動的にバックアップを実行でき、災害が発生する直前までに作成された電子情報を保存することができる。
【００２８】
また本発明のコンピュータバックアップシステムにおいては、異常検知センサの検出したパラメータが業務用コンピュータが破壊される予兆を示すと、バックアップコンピュータがコンピュータネットワークを介して業務用コンピュータを起動し、所定の電子情報を前記コンピュータネットワークを通じて読み取り、バックアップ用記録媒体に保存するので、業務用コンピュータの電源が入っていないときに災害が発生しても、業務用コンピュータが破壊される予兆を検出し、自動的にバックアップを実行でき、災害が発生する直前までに作成された電子情報を保存することができる。
【００２９】
また、本発明のコンピュータバックアップシステムにおいては、バックアップコンピュータが外部の熱を内部に伝えにくい筐体内に納められているので、バックアップコンピュータに格納された電子情報が外部の熱によって破壊されない。
【００３０】
また、本発明のコンピュータバックアップシステムにおいては、異常検知センサが気温を測定する温度センサであるので、火災等による気温の異常上昇を検知して自動的にバックアップを実行できる。
【００３１】
また、本発明のコンピュータバックアップシステムにおいては、異常検知センサが水の有無を検知する水センサであるので、洪水等による水を検知して自動的にバックアップを実行できる。
【図面の簡単な説明】
【図１】本発明のコンピュータバックアップシステムの一実施形態である。
【図２】本発明のコンピュータバックアップシステムの一実施形態のフローチャートである。
【図３】本発明のコンピュータバックアップシステムの第２の実施形態である。
【図４】本発明のコンピュータバックアップシステムの第２の実施形態のフローチャートである。
【符号の説明】
１  業務用コンピュータ
２  バックアップコンピュータ
３  コンピュータネットワーク
４  電子情報記録媒体
５  第一の異常検知センサ
６  第二の異常検知センサ
７  バックアップ用記録媒体
８  筐体
【図１】
2004326365.tif 000003
【図２】
2004326365.tif 000004
【図３】
2004326365.tif 000005
【図４】
2004326365.tif 000006